(57)【要約】【課題】本体より突出した投射レンズが配され、投射レンズの周囲を覆うレンズフードを備える投射型映像表示装置において、上面から本体内に埃等の異物が侵入するのを防ぎ、且つ仮に持ち運ぶときに誤って投射レンズ部が机等に接触させてしまう状態となっても投射レンズを保護することを課題とする【解決手段】フロントパネルに形成された投射レンズ用開口部から突出した投射レンズと、該投射レンズの外周を覆うレンズフードと、を備える投射型映像表示装置において、前記レンズフードは、前記レンズフードの先端部から間隔を隔ててダイヤル開口部を形成すると共に、前記投射レンズの先端付近に配されフォーカス又はズーム調整を行うレンズダイヤル部を前記ダイヤル開口部から露出させることを特徴とする。【選択図】  図２
2010164617.tif 000002
【特許請求の範囲】
【請求項１】
フロントパネルに形成された投射レンズ用開口部から突出した投射レンズと、該投射レンズの外周を覆うレンズフードと、を備える投射型映像表示装置において、
前記レンズフードは、前記レンズフードの先端部から間隔を隔ててダイヤル開口部を形成すると共に、前記投射レンズの外周に配されるフォーカス又はズーム調整を行うレンズダイヤル部を前記ダイヤル開口部から露出させることを特徴とする投射型映像表示装置。
【請求項２】
請求項１に記載の投射型映像表示装置において、前記ダイヤル開口部が前記レンズフードの少なくとも２個所に形成されることを特徴とする投射型映像表示装置。
【請求項３】
請求項１に記載の投射型映像表示装置において、前記投射レンズ用開口部と前記投射レンズとの間に防塵部材を配すことを特徴とする投射型映像表示装置。
【発明の詳細な説明】
【技術分野】
【０００１】
投射型映像表示装置の投射レンズのレンズフードに関する。
【背景技術】
【０００２】
図６のように投射レンズ１０１がフロントパネル１０２に形成された投射レンズ用開口部１０３から突出して配され、その周囲をレンズフード１０４で覆われ、レンズ調整用のつまみ１０５が装置本体上面側に配される形状のプロジェクタが意匠登録公報１に開示されている。
【０００３】
意匠登録公報１の構成であれば、持ち運ぶときに誤って机等に接触させてしまう等の衝撃若しくは負荷を投射レンズ１０１に与えるような状態となったとしても投射レンズ１０１の周囲を覆うようにレンズフード１０４が形成されているために、直接投射レンズ１０１に衝撃若しくは負荷が加わることがない。そのため、投射レンズ１０１の破損等を防ぐことができるものである。
【０００４】
また、図７のように投射レンズ１１１が本体に収納され、レンズ調整用のつまみ１１２が装置本体上面側に配される形状のプロジェクタが意匠登録公報２に開示されている。
【０００５】
意匠登録公報２の構成であれば、持ち運ぶときに誤って机等に接触させてしまう等の投射レンズ１１１に衝撃若しくは負荷を加えるような状態となったとしても投射レンズ１１１が本体から突出していないため、直接レンズ１１１に衝撃若しくは負荷が加わることがない。
【先行技術文献】
【非特許文献】
【０００６】
意匠登録第１２８９５９６号、意匠登録第１３１３３１４号
【発明の概要】
【発明が解決しようとする課題】
【０００７】
しかしながら、意匠登録公報１及び２の構成では、レンズ調整用のつまみの開口部がプロジェクタの上面にあることから埃等の異物が堆積し易く、プロジェクタ本体内へ埃等の異物が侵入する可能性が高かった。
【０００８】
このような課題に鑑みて、本願発明は本体より突出した投射レンズが配され、投射レンズの周囲を覆うレンズフードを備える投射型映像表示装置において、上面から本体内に埃等の異物が侵入するのを防ぎ、且つ仮に持ち運ぶときに誤って投射レンズ部を机等に接触させてしまう状態となっても投射レンズを保護することを課題とする。
【課題を解決するための手段】
【０００９】
上記課題を解決する為の手段は、フロントパネルに形成された投射レンズ用開口部から突出した投射レンズと、該投射レンズの外周を覆うレンズフードと、を備える投射型映像表示装置において、前記レンズフードは、前記レンズフードの先端部から間隔を隔ててダイヤル開口部を形成すると共に、前記投射レンズの先端付近に配されフォーカス又はズーム調整を行うレンズダイヤル部を前記ダイヤル開口部から露出させることによるものである。
【００１０】
また上記構成において、前記ダイヤル開口部が前記レンズフードの少なくとも２個所に形成されることとしてもよい。
【００１１】
また上記構成において、前記ダイヤル開口部と前記投射レンズとの間に防塵部材を配すこととしてもよい。
【発明の効果】
【００１２】
本体より突出した投射レンズが配され、投射レンズの周囲を覆うレンズフードを備える投射型映像表示装置において、上面から本体内に埃等の異物が侵入するのを防ぎ、且つ仮に持ち運ぶときに投射レンズ部を机等に接触させてしまう状態となっても投射レンズを保護することができる。
【図面の簡単な説明】
【００１３】
【図１】第１実施形態に係る投射型映像表示装置の光学エンジン構成図
【図２】第１実施形態に係る投射型映像表示装置の斜視図
【図３】第１実施形態に係るレンズフードの拡大斜視図
【図４】第２実施形態に係るレンズフードの側断面図
【図５】第３実施形態に係るレンズフードの側断面図
【図６】先行意匠に係る第１のプロジェクタの斜視図
【図７】先行意匠に係る第２のプロジェクタの斜視図
【発明を実施するための形態】
【００１４】
以下、本発明の各実施形態に係る投射型映像表示装置を図１乃至図５を参照して説明する。
【００１５】
尚、本発明の図に関しては模式的な図であり、詳細な形状、寸法、比率は異なることに留意すべきである。また図面相互間においても詳細な形状、寸法、比率は異なる部分が含まれている。
【００１６】
また、異なる図面番号に対して同一又は類似の部分に関しては同一符号を付して重複する説明は省略している。
（第１実施形態）
図１は、本発明で使用される３板式液晶光学エンジン１を示した図である。光源２における発光部は、超高圧水銀ランプ、メタルハライドランプ、キセノンランプ等から成り、その照射光はパラボラリフレクタ３によって平行光となって出射され、インテグレータレンズ４へと導かれる。
【００１７】
インテグレータレンズ４は一対のレンズ群（フライアイレンズ）４ａ、４ｂから構成されており、個々のレンズ部分が光源２から出射された光を後述する液晶ライトバルブの全面に導くようになっており、光源２において存在する部分的な輝度ムラを平均化し、画面中央と周辺部とでの光量差を低減する。インテグレータレンズ４を経た光は、偏光変換装置５、及び集光レンズ６を経た後、第１ダイクロイックミラー７へと導かれることになる。
【００１８】
偏光変換装置５は、偏光ビームスプリッタアレイ（以下、ＰＢＳアレイと称する）によって構成されている。ＰＢＳアレイは、偏光分離膜と位相差板（１／２λ板）とを備える。ＰＢＳアレイの各偏光分離膜は、インテグレータレンズ４からの光のうち例えばＰ偏光を通過させ、Ｓ偏光を９０度光路変更する。光路変更されたＳ偏光は隣接の偏光分離膜にて反射されてそのまま出射される。一方、偏光分離膜を透過したＰ偏光はその前側（光出射側）に設けてある前記位相差板によってＳ偏光に変換されて出射される。すなわち、この場合には、ほぼ全ての光はＳ偏光に変換されるようになっている。
【００１９】
第１ダイクロイックミラー７は、赤色波長帯域の光を透過し、シアン（緑＋青）の波長帯域の光を反射する。第１ダイクロイックミラー７を透過した赤色波長帯域の光は、全反射ミラー８にて反射されて光路を変更される。全反射ミラー８にて反射された赤色光はレンズ９を経て赤色光用の透過型の液晶ライトバルブ１７を透過することによって光変調される。一方、第１ダイクロイックミラー７にて反射したシアンの波長帯域の光は、第２ダイクロイックミラー１０に導かれる。
【００２０】
第２ダイクロイックミラー１０は、青色波長帯域の光を透過し、緑色波長帯域の光を反射する。第２ダイクロイックミラー１０にて反射した緑色波長帯域の光は、レンズ１１を経て緑色光用の透過型の液晶ライトバルブ１８に導かれ、これを透過することで光変調される。また、第２ダイクロイックミラー１０を透過した青色波長帯域の光は、全反射ミラー１２、全反射ミラー１３、レンズ１４を経て青色光用の透過型の液晶ライトバルブ１９に導かれ、これを透過することで光変調される。
【００２１】
各液晶ライトバルブ１７、１８、１９は、入射側偏光板１７ａ、１８ａ、１９ａと、一対のガラス基板（画素電極や配向膜を形成してある）間に液晶を封入して成るパネル部１７ｂ、１８ｂ、１９ｂと、出射側偏光板１７ｃ、１８ｃ、１９ｃと、を備えて成る光変調部である。
【００２２】
液晶ライトバルブ１７、１８、１９を経ることで変調された変調光（各色映像光）は、クロスダイクロイックプリズム１５によって合成されてカラー映像光となる。このカラー映像光は、投射レンズ１６によって拡大投射され、図示しないスクリーン上に表示される。
【００２３】
図２は、本実施形態に係る３板式液晶光学エンジン１を内蔵した投射型表示装置であるプロジェクタ２１の斜視図である。
【００２４】
プロジェクタ２１の筺体２２には、上面に配された操作ボタン部２３と、上面に配された光源保護カバー２４と、側面及び前面に配された吸気口２５及び排気口２６と、前面に配されたリモコン受信用受光素子２７と、底面に配されプロジェクタ２１の傾斜を調整する調整脚２８と、投射レンズ１６の周囲を覆うレンズフード２９と、が備えられている。
【００２５】
筺体２２は、３板式液晶光学エンジン１や回路基板（不図示）を含む本体を覆う上面カバー３０、本体を支える下面カバー３１と、本体の前面を覆うフロントパネル３２と、フロントパネル３２から突出するレンズフード２９と、からなる。
【００２６】
操作ボタン部２３は、プロジェクタ２１の電源ＯＮ−ＯＦＦや投射映像の画質調整等、ユーザーが所望の操作を実施する際に操作を行う。
【００２７】
光源保護カバー２４は、脱着可能に上面カバー３０に固定されており光源保護カバー２４を筺体２２から取り外すと光源２を有するランプが現れ、光源２を有するランプを交換することが可能となる。
【００２８】
吸気口２５及び排気口２６は、筺体内部に配される図示しないファンにより、吸気口２５から空気を筺体２２内へ導入し、排気口２６から外部へ空気を排出する機能を有す。
【００２９】
リモコン受信用受光素子２７は、ユーザーが所望の操作をリモコンに行うことにより、リモコンから発せられる赤外線信号を受信すると、光信号を電気信号へ変換する。この電気信号をプロジェクタ２１が受け取ることにより、操作ボタン部２３をユーザーが操作することと同様にプロジェクタ２１を操作をすることができる。
【００３０】
調整脚２８は、筺体２２に対して略垂直に出没自在となっており、各々の調整脚２８を独立に調整することにより筺体２２が所望の傾きに設置させることができる。
【００３１】
レンズフード２９は、フロントパネル３２より突出した投射レンズ１６の外周を覆うように形成されている。
【００３２】
ここで図３を用いてレンズフード２９に関して詳述する。尚、図３はレンズフード２９の拡大斜視図である。
【００３３】
レンズフード２９は、フロントパネル３２と一体成型されており、フロントパネルよりも突出して形成されている。レンズフード２９の内径は、レンズフード２９に挿入される投射レンズ１６の最外径よりも広く設計されている。レンズフード２９の上側には、レンズフード２９の先端部から間隔を隔てて上側壁面間を連通する略矩形状の連通穴であるダイヤル開口部４１が設けられている。投射レンズ１６のフォーカスダイヤル４２若しくはズームダイヤル４３は、ダイヤル開口部４１から露出し、ダイヤル開口部４１を介してユーザーが容易に且つ別個にフォーカスダイヤル４２若しくはズームダイヤル４３を回転させられる構造を有している（図５参照）。
【００３４】
ダイヤル開口部４１の外周側のエッジ４４には、面取り加工を施しており、ユーザーが指でフォーカスダイヤル４２若しくはズームダイヤル４３を操作する際に指がエッジ４４に当たった場合でも、不快な思いをすることがなく操作することができる。
【００３５】
また、図３の構成のようにフロントパネル３２より前でフォーカスダイヤル４２若しくはズームダイヤル４３を配すことができるため、投射レンズ１６のフォーカス若しくはズーム調整のためのダイヤル開口部４１を筺体２２の上面等に形成する必要がなくなる。従って埃等の異物が筺体２２の上面に堆積したとしても筺体内部に埃等の異物が上部から入り込む可能性がなくなる。
【００３６】
また、図３の構成のようにレンズフード２９の先端部は、全周にわたり投射レンズを覆っているため、仮に持ち運ぶときに誤って直接投射レンズ１６が机等に接触させてしまったとしても、投射レンズ１６の破損や投射レンズ１６の固定位置が大きくずれて光軸がずれることを防止することができる。
【００３７】
また、レンズフード２９がフロントパネル３２と一体成型されており、上面カバー３０及び下面カバー３１と別部品としているため、例えレンズフード２９に強い衝撃若しくは負荷がかかり破損したとしてもレンズフード２９とフロントパネル３２のみを交換可能で、レンズフード２９、フロントパネル３２、上面カバー３０及び下面カバー３１が一体で全て交換するときと比べて交換が容易で交換部品も低価格で提供することができる。
【００３８】
尚、第１実施形態ではレンズフード２９は、フロントパネル３２と一体成型で形成されているがこれに限るものではなくレンズフード２９とフロントパネル３２を別体として形成しても良い。このことにより、レンズフード２９に強い衝撃若しくは負荷がかかり破損したとしてもレンズフードのみを交換可能で、レンズフード２９とフロントパネル３２を交換するときと比べてさらに交換部品を低価格で提供することができる。
（第２実施形態）
以下、本発明の第２実施形態に関して図４を用いて説明する。但し、第１実施形態と同様な部分に関しては同一符号を付して説明を省略している。
【００３９】
図４は、プロジェクタ２１のレンズフード２９を側面から図示した側断面図である。第１実施形態ではダイヤル開口部４１は、レンズフード２９の上面の一箇所に配されていたが第２実施形態ではレンズフード２９の上面及び下面にそれぞれ配されている。
【００４０】
このようにすることにより、フォーカスダイヤル４２若しくはズームダイヤル４３の上下を指で挟むことができ、さらに円滑にフォーカスダイヤル４２若しくはズームダイヤル４３を回転させることができる。
（第３実施形態）
以下、本発明の第３実施形態に関して図５を用いて説明する。但し、第１実施形態若しくは第２実施形態と同様な部分に関しては同一符号を付して説明を省略している。
【００４１】
図５は、プロジェクタ２１のレンズフード２９を側面から図示した側断面図である。第３実施形態は第２実施形態に対しフロントパネル３２に形成された投射レンズ用開口部５１の円周面にウレタン５２が取り付けられている。このことにより、投射レンズ用開口部５１と投射レンズ１６の間の空間を埋めることができ、投射レンズ用開口部５１と投射レンズ１６の間の空間から侵入する埃等の異物も防止することができる。
【００４２】
第１実施形態では、ダイヤル開口部４１をレンズフード２９の上面に、第２実施形態ではダイヤル開口部４１をレンズフードの上面及び下面に、それぞれ配したが本発明は、これに限るものではなくレンズフード２９の円周であればどこに配しても良いものとする。
【００４３】
また、本実施形態は、液晶表示パネルを用いた投射型映像表示装置を示したが、これに限定されるものではなく他の映像光生成系を備える投射型映像表示装置においても本発明を適用でき、ＤＬＰ（Digital Light Processing）（テキサス・インスツルメンツ（ＴＩ）社の登録商標）方式、ＬＣＯＳ（Liquid Crystal on Silicon）方式でも適用することができる。
【符号の説明】
【００４４】
フロントパネル３２、投射レンズ開口部・・・５１、投射レンズ・・・１６、レンズフード２９、プロジェクタ（投射型映像表示装置）・・・２１、ダイヤル開口部４１、フォーカスダイヤル４２、ズームダイヤル４３、ウレタン（防塵部材）・・・５２
【図１】
2010164617.tif 000003
【図２】
2010164617.tif 000004
【図３】
2010164617.tif 000005
【図４】
2010164617.tif 000006
【図５】
2010164617.tif 000007
【図６】
2010164617.tif 000008
【図７】
2010164617.tif 000009